(57)【要約】【目的】場所を選ばずエチケット等の人目もよく、使用勝手のよいストロー一体化のペットボトル容器構造でゴミ分別が簡易であり、リサイクルが簡便であるボトルを提供する。【構成】ペットボトル内に同材、同質のストロー管径を底部より架設しキャップを従来のとおり開成するとねじりスプリング状のストローがストローの粘弾性と合間って吸口が排出する構造のペットボトルまた、前記使用目的の意味において、ボトルとストローを分離したものでもその目的を形成した構造のペットボトル【選択図】図９
2009007064.tif 000002
【特許請求の範囲】
【請求項１】
ストロー管径及びストローをペットボトルと一体化した方法による構造を特徴とした容器とその方法
【請求項２】
前記本体のストロー管径に接続するストローであり、本体ペットボトルとそのボトム山ネジ部の間に内蔵する伸縮自在のスプリングストロー及び作用を目的としたストロー構造
【請求項３】
前記ストローはキャップ部内側に突起があり使用前はストローが差込んでおり使用時にその突起によりストローのガイド効果を誘引し、なお、ストロー内径に飲料物の水滴を防止するキャップを特徴とした構造のキャップ
【発明の詳細な説明】
【技術分野】
【０００１】本発明はペットボトルのストロー内設構造に係り、詳しくはボトル内部にストロー管径を形成し、飲料時にキャップ開放と共に飲口部戸首よりストローが露出する構造に関するものである。
【背景技術】
【０００２】各種ペットボトルは外形のデザインは多様であるがペットボトルの素材を活用しキャップ部をネジ蓋として一般的に口からの容器となっており子供、女性等は美観上のエチケット、こぼし等の問題があり別途ストロ等があるが不特定の場所には携帯が困難であり不便を余儀なく、特に時、所、場合により、困る場合があり、さらに、ゴミ分別にも手間がかかり環境にもよろしくなく改善及び工夫が必要である。【０００３】また、ボトル本体は素材がポリエチレンテレフタラートにてリサイクルゴミになりキャップはプラにて可燃ゴミとなりストローはポリプロピレンにて可燃ゴミとなり投拾等による環境衛生的によくなく郊外にて使用する場合はゴミの分料が少ない方法が要望される。
【特許文献】
【発明の開示】
【発明が解決しようとする課題】
【０００４】従来はボトルの容器ボトム部に口受けにて飲料するものであって会議等会場では一般的に紙コップ等の用意が必要でありマナー上の問題意識から不便があり、野外等の使用にも直接飲料するには抵抗があり、不便があった。
特に戸首部にて口を受けて飲料するため、成人女性は口紅の附着、口紅の直し及びマナーの品性が時、場所、服装等にて左右される困難があり大きく改善及び配慮が必要である
また、車等の移動中に飲料する場合はボトル本体を上部に傾けるため少々のブレキー等にてこぼすことが多く改善が望まれる。【０００５】本発明は、こうした従来の問題を解決しボトル容器内にストローを内蔵し万人の方が快適に使用可能なボトル内蔵構造を提供することを目的とする。
【発明が解決するための手段】
【０００６】係る目的を達成するために、本発明のうち請求項１記載の発明はボトル容器内にストロー管径を設け、その管径は底部より戸首部までとし戸首部からキャップ接合部までを自由自在のストローを接続しキャップ開成に伴い、そのストロー端部が任意の長さにて飲料がしやすい構成を採用した。
【０００７】このようにボトル本体の立位に関係なく、ストローが自由自在な口受の角度に左右されず、内容器に注入するストローの長さ、角度に左右されずボトル内一定の長さにて形成され容器の外観の美観性も備えた
【０００８】また、請求項２に記載の発明は本体ペットボトル管径に係合するストローであり戸首部下部よりボトル本体戸首よりストローが長く出るため角度及び伸縮自在のストローであり、同時にゴミ排出も簡易化した。
【０００９】また、請求項３に記載の発明は、従来の素材であるプラスチックを基にキャップ内方に突起を設け、ストロー呼出しのガイドであると同時に内容物のストロー内径に水滴が附着しない様にサック状に蓋をしたものであり、使用時の使い勝手と衛生及び清潔上の問題を解決した。
【００１０】また、前記キャップは従来の方法はネジ式であり、ボトル成形後に内容物を注入し、キャップにて完成するものであり、さらにゴミ処理としてキャップを取外し可燃物として処理する目的がある。
本発明はそのキャップ円形外部にプルタブを設置し前記ストロー作用と同じワンタッチの開成方法も可能であり、小さな子供でもキャップ回動の大きな力なしでキャップ上部剥ぎ取り形態にて開成出来ることも同時に解決した。
【発明の効果】
【００１１】本発明に係るペットボトル内蔵ストロー構造はペットボトル成形工程を重視しストローをポリエチレンテレフタラートの特性を活用し同材によるストローでありストローそのものをボトル内方に融溶する場合とボトルを半分づつ融溶し成形する方法とがあり、その場合半アール形状をストロー管径にすることが出来、ボトル内の管径合せ部の内容物の漏れは支障なく吸込による圧にて解消される
また、ストロー係合の後、ボトル内に内容物を注入し、そのストロー端部をキャップ突起部に差込み従来とおりの内容物を注ぎキャップを締めて製品が完成することができる。
【発明を実施するための最良の形態】
【００１２】前記ボトル本体は様々な金型成型により成型が異るのが一般であるがその本体戸首口はプラスチック製のものとＰＥＴ材製のものがありいずれの方法にても戸首下にて組立とするのでストローの長さについては上記戸首下までの内蔵とし更にボトル底部は揚げ底形態になっておりストロー端部は空気孔の適便な長さとする
さらにボトル上部戸首部にねじりスプリング又は折りたたみ形態のストローを内設し本体との係合をし、そのストローは必要に応じて脱着可能な差込装着が出来る。
【実施例】
【００１３】以下、本発明の実施の形態を図面に基づいて詳細に説明する。図１は本発明に係るペットボトルの正面図。図２は本発明に係るボトル構造の一実施例で斜視図である。
図３はボトルの平面図であり図４はボトルの成形上のストロー設置の平面図である
図５はボトル戸首部のストローを示し（Ａ）はストロー断面図、Ｂは作用図であり（Ｃ）はストローの斜視図であり（Ｄ）は平面形状図である
図６はキャップ図であり（Ａ）は断面図、（Ｂ）は平面図である
図７はキャップ図の応用図であり（Ａ）は断面図（Ｂ）は剥ぎ取り部平面図（Ｃ）は剥ぎ取り部接続のプルタブ平面図である。【００１４】図１において１はペットボトル本体の一般的な容器であって、その本体は金型成形された製造であり１−１の筒状部と１−２の戸首部の結合により容器として構成され、その戸首部１−２にはオスネジがあり、３Ａキャップにはメネジを備え、キャップを回すというボトル形の容器と構成されている。【００１５】図１において１は円筒形の外形であるが、素材はエチレンテレフタレートであり四角等の外形も自由自在に成型されるものであり、そのデザイン構成も
2009007064.tif 000003
揚げ底にて構成されている。【００１６】図１成型容器に２のストロー管径はその揚げ底端部より適宜な位置にてボトル内部に１−１までボトルに一体化したストロー管径であり、そのストローは図４に示す様に合せ方法及びストロー成形をボトルラインに溶着する方式及び自由自在に差込む方法がある。【００１７】図１の２のストロー管径はリサイクルの簡便及びゴミ排出を少なくするため同材質の素材を採用したものであり、合せ方式はボトル本体の半円と半円とを結合したものであって、図４のストロー半径と半径を合せる方式がある。
さらに、このストロー管は外部より溶融し、内部は材質の弾性にて嵌込み吸引径を設けるので溶融は必要でない。【００１８】また、図１の２のストローはストロー自体をボトルラインに添って溶着するもので戸首部及び下部にビート溶接にてよく、強度は必要なく、５００ミリリットルの場合は小型ボトルなので、主に携帯用である。【００１９】次に図１を用いて１−２ボトル戸首部の詳細構造及び作用について説明する。ストロー部２はすでにボトル容器内に設置してあり、その上部端部は１−１の本体まで備えられストロー部２−１を係合する。
この２−１のストローはボトル内ストローの内径に差込み、簡易に脱着できる適宜な径及び差込長さである。【００２０】図１の２−１ストローは図５の（Ａ）断面図及（Ｃ）のねじりスプリングストローであり共に２−１戸首部間に内蔵しており、伸縮自在の断面構造でありスプリング伸び及び折タタミ伸の作用を材質の粘弾性により適宜な飲み易い高さ位置に設定することが出来る。【００２１】このストロー２−１の上部端部を内容物注入後図１のキャップ３−１の突起に差込みキャップ３Ａを密閉する。
キャップ３Ａはストロー２−１と係合されており飲料時はキャップ３Ａを開成すると２−１のストローは一連の運動にて支承され、ストローが引率され適宜な位置まで作用する【００２２】次に図２について詳細構造及び、作用について説明する。
ストロー２は成形一体化及びボトル本体１−１に美観上の衣裳も同時に解決出来るボトルラインに融合したものでありリサイクルの環境衛生も兼えた同材のもので内部強度は必要としなく、ストロー２は後取付もすることが出来る。【００２３】また、ストロー２図はボトル１−１の内部に吸引のための管径であるので、必ずしも丸型でなくてもよく図５の（Ａ）断面図（Ｃ）の断面形状でもよくさらにボトル本体一体成形でもよい。【００２４】前記ストロー２−１とキャップ３−１の突起を係合し、内容物注入の後に３Ａのキャップを締める手順であり、従来の作業工程であり法規制をクリヤーは勿論のこと、開成作用は手順の反復であるのでその作用は省略する。【００２５】前記ペットボトルは材質上ポリエチレンテレフタラートであり、ボトル形状であるが本発明の応用は缶状の同材にてもよく、図８は（Ａ）断面図（Ｂ）はプルタブキャップ断面図、（Ｃ）は平面図、（Ｄ）は断面図でありストローの粘弾性を利用し９０度角にてプルタブ部にて押え込み、そのプルタブは内部側はＶ溝カットにて引きはがしが簡易に出来る構造である【００２６】図４はペットボトル本体の平面図でありボトル本体にストロー管口を設置したものであるが（Ａ）は成型時にボトルを縦半割にて左右を合せボトルを１体化し溶融したものであり（Ｂ）はその拡大図である。さらに図の（Ａ）の接合でなく、金型成型時に一対のストロー管径を設置することも出来る。【００２７】前記ボトル内のストローはポリエチレンテレフタラートの材質であり、本体ボトルと同機、同質の性分材であり使用後はリサイクルも簡易であり、再生工場の作業工程が簡便化し、ゴミの分別処理を簡素化出来ると同時にゴミ排出時のわずらわしさを解決した【００２８】以上、本発明の実施の形態について説明を行ったが、本発明はこうした実施の形態に何等限定されるものではなく、あくまでも例示であって材質、材量は勿論のこと形状、製造工法に左右されることなく本発明の要旨を逸脱しない範囲内において、さらに種々なる形態で実施得ることは必然のことであり、本発明の範囲は、特許請求の範囲の記載によって示され、さらに特許請求の範囲の記載の均等の意味及び、範囲内の全ての変更を含む。【００２９】また図９は本発明に係る目的を意図した模倣図であり底部よりねじりスプリング状のストローが立上り、キャップ突起と係合したものであり、２５０ミリ、５００ミリ容器に内蔵したものである。【００３０】さらに図１０はストローをタテバネにて２−２Ａのボトルとの融合接着にてテコの応用にて、及びストローの粘弾性にて、上下運動する作用を用いた模倣図であり、製産時のコストを軽減した方法を模倣できることがある。
【産業上の利用可能性】
【００３１】本発明に係るペットボトルストロー内蔵構造はボトル内に一体化した物を例示したが、内蔵に限らず外側ボトルにストロー部を美観上及び実用上の意味において隠蔽した構造としても適用ができる
また、缶コヒーの器の代用品としても同材、同質のリサイクルにも適したものとしても適用することができる。
【符号の説明】
【００３２】１・・・・・・ペットボトル
１−１・・・・ボトル
１−２・・・・戸首
２・・・・・・ストロー
２−１・・・・戸首部ストロー
２−２Ａ・・・接着部位
２−３・・・・ストロー
３Ａ・・・・・キャップ
３−１・・・・キャップ内突起
３Ｂ・・・・・キャップ
３−１・・・・切欠開口部
３−２・・・・折部
３−３・・・・折部切欠部
３−４・・・・プルタブ
３−５・・・・ピン
３−６・・・・Ｖ字ミゾ
【図面の簡単な説明】
【００３３】
【図１】本発明に係るペットボトルに内蔵するストロー構造を用いたボトルの正面図である。
【図２】本発明に係る一実施例で斜視図である。
【図３】本発明に係るペットボトル内の一実施例でストローの平面図である。
【図４】本発明に係るストロー部のボトル本体の一実施例で（Ａ）は平面図、（Ｂ）は合せ部拡大図である。（Ｃ）は本体一体のストロー管径の平面図である。
【図５】本発明に係るストローの（Ａ）は断面図、（Ｂ）は（Ａ）の作用断面図  （Ｄ）はストローの視斜図  （Ｅ）はストローの視斜図  （Ｆ）は図９のストロー視斜図
【図６】本発明に係るキャップの（Ａ）は拡大断面図、（Ｂ）は拡大平面図
【図７】本発明のキャップの応用図であり、（Ａ）は拡大断面図  （Ｂ）は拡大平面図、（Ｃ）はプルタブ拡大平面図である。
【図８】応用図であり、（Ａ）は断面図、（Ｂ）はプルタブ蓋部断面図  （Ｃ）はプルタブ部平面図、（Ｄ）は断面正面図である。
【図９】模倣図であり図５ストロー２−１を架設した図
【図１０】模倣図であり図１ストロー２を応用した図である。
【図１】
2009007064.tif 000004
【図２】
2009007064.tif 000005
【図３】
2009007064.tif 000006
【図４】
2009007064.tif 000007
【図５】
2009007064.tif 000008
【図６】
2009007064.tif 000009
【図７】
2009007064.tif 000010
【図８】
2009007064.tif 000011
【図９】
2009007064.tif 000012
【図１０】
2009007064.tif 000013